(57)【要約】【課題】本発明の課題は、見やすい図面を備えた提案書を能率よく作成するシステムを提供することである。【解決手段】商品識別情報により特定され、マーク座標情報を有するマークデータと、商品に関する情報を含む商品情報と、を記憶する記憶手段と、商品受付手段が受け付けた商品識別情報に対応付けられた商品情報を選択して商品情報が互いに重ならないように割り付ける商品配置手段と、商品受付手段が受け付けた商品識別情報に対応付けられたマークを選択して、このマークをマーク座標情報に従って配置するマーク配置手段と、このマークと商品情報とを結線する線分を描画して、線分同士が交差するか否かを検査する検査手段と、検査の結果、交差する線分が存在すれば、交差する線分に対応する商品情報の座標情報を入れ替えて、商品情報を割り付ける商品情報入替手段と、備えることを特徴とする提案書作成システムである。【選択図】図１
2009075990.tif 000002
【特許請求の範囲】
【請求項１】
本体商品と本体商品に付属する部品商品の情報が掲載されている提案書を作成するシステムであって、
前記提案書は、部品商品ごとに、本体商品との所定の関係により定められる位置を示すマークが配置されて、
商品識別情報により特定され、マーク座標情報を有するマークデータと、
商品に関する情報を含む商品情報
を記憶する記憶手段と、
選択された商品の識別情報を受け付ける商品受付手段と、
商品受付手段が受け付けた商品識別情報を用いて商品情報を参照して、受け付けた商品識別情報に対応付けられた商品情報を選択する商品情報選択手段と、
商品受付手段が受け付けた商品識別情報を用いてマークデータを参照して、受け付けた商品識別情報に対応付けられたマークを選択して、このマークをマーク座標情報に従って配置するマーク配置手段と、
商品情報選択手段が抽出した商品情報が互いに重ならないように割り付ける商品配置手段と、
商品識別情報が一致する、マークと商品配置手段が割り付けた商品情報とを選択して、両者を結線する線分を描画する結線手段と、
線分同士が交差するか否かを検査する検査手段と、
検査の結果、交差する線分が存在すれば、交差する線分に対応する商品情報の座標情報を入れ替えて、商品情報を割り付ける商品情報入替手段と、
を備えることを特徴とする提案書作成システム。
【請求項２】
前記商品配置手段は、
マーク配置手段が割り付けたマークの垂直座標をキーに昇順に配列し、商品情報選択手段が抽出した商品情報を参照して、前記配列の前半のマークに対応付けられた商品情報を選択して第１の垂直座標情報を設定し、商品情報選択手段が抽出した商品情報を参照して、前記配列の後半のマークに対応付けられた商品情報を選択して第２の垂直座標情報を設定する垂直座標設定手段と、
第１の垂直座標情報、または、第２の垂直座標情報を設定された商品情報が重ならないように水平座標情報を算出する水平座標情報算出手段と、
垂直座標設定手段が設定した垂直座標情報と、水平座標情報算出手段が算出した水平座標情報と、に従って商品情報を割り付ける割付手段と、
から構成されることを特徴とする請求項１に記載の提案書作成システム。
【請求項３】
コンピュータに組込むことによって、コンピュータを請求項１に記載の提案書作成システムとして動作させるコンピュータプログラム。
【請求項４】
請求項３に記載のコンピュータプログラムを記録したコンピュータ読取り可能な記録媒体。
【発明の詳細な説明】
【技術分野】
【０００１】
本発明は、本体商品と本体の一部を形成する部品商品（＝商品情報）を掲載した商品提案書を作成するシステム、方法、プログラムに関するものである。
本発明は特に、営業担当者が顧客との接客中に提案書を作成する場合に有用である。
【背景技術】
【０００２】
近時、顧客の多様なニーズに的確に応えるために、提案可能な多数の商品の中から、顧客に最適な商品を選定した商品提案書を作成して営業活動が進められている。
このように、高価で複雑な商品を販売するに当たっては、顧客のニーズにあわせた商品提案書を作成して営業活動を進めることが益々重要となっている。
【０００３】
たとえば、特許文献１では、住宅間取り図１３１の周辺に複数の設備商品画像２１２を配置し、間取り図上の電源１３２と設備商品画像２１２との間を水平線と垂直線を組み合わせた接続線２１１で接続させて住宅設備商品を提案する技術が開示されている。
【特許文献１】特許４３６５８３台号公報（段落００４６−段落００４８、図７、図１０）
【発明の開示】
【発明が解決しようとする課題】
【０００４】
しかしながら、特許文献１の技術では、住宅設備商品提案システムにおいて、電源１３２と設備商品画像２１２との間を接続させた接続線２１１が互いに重なる場合には、接続関係が見難くなるという欠点があった。
また、接続線２１１の重なりを解消するためには、オペレータが画面を見ながら試行錯誤を繰り返しながら操作をしなければならず、多大の手間と時間を要するという不具合があった。
【０００５】
本発明は以上のような点を解決するためになされたものであって、本発明の課題は、見やすい図面を備えた提案書を能率よく作成するシステムを提供することである。
【課題を解決するための手段】
【０００６】
本発明は、以下の各態様に記載の手段により、前記課題を解決する。すなわち、本願発明の第１の態様は、本体商品と本体商品に付属する部品商品の情報が掲載されている提案書を作成するシステムであって、前記提案書は、部品商品ごとに、本体商品との所定の関係により定められる位置を示すマークが配置されて、商品識別情報により特定され、マーク座標情報を有するマークデータと、商品に関する情報を含む商品情報を記憶する記憶手段と、選択された商品の識別情報を受け付ける商品受付手段と、商品受付手段が受け付けた商品識別情報を用いて商品情報を参照して、受け付けた商品識別情報に対応付けられた商品情報を選択する商品情報選択手段と、商品受付手段が受け付けた商品識別情報を用いてマークデータを参照して、受け付けた商品識別情報に対応付けられたマークを選択して、このマークをマーク座標情報に従って配置するマーク配置手段と、商品情報選択手段が抽出した商品情報が互いに重ならないように割り付ける商品配置手段と、商品識別情報が一致する、マークと商品配置手段が割り付けた商品情報とを選択して、両者を結線する線分を描画する結線手段と、線分同士が交差するか否かを検査する検査手段と、検査の結果、交差する線分が存在すれば、交差する線分に対応する商品情報の座標情報を入れ替えて、商品情報を割り付ける商品情報入替手段と、を備えることを特徴とする提案書作成システムである。
【０００７】
このように、商品本体に配置されたマークと、商品本体の周りに商品情報（＝部品商品情報）とが線分で結ばれて、各線分は交差することが無いので、商品本体の部品商品位置と、の関係が分かりやすく見やすい提案書を作成することができる。
【０００８】
本願発明の第２の態様は、前記商品配置手段は、マーク配置手段が割り付けたマークの垂直座標をキーに昇順に配列し、商品情報選択手段が抽出した商品情報を参照して、前記配列の前半のマークに対応付けられた商品情報を選択して第１の垂直座標情報を設定し、商品情報選択手段が抽出した商品情報を参照して、前記配列の後半のマークに対応付けられた商品情報を選択して第２の垂直座標情報を設定する垂直座標設定手段と、第１の垂直座標情報、または、第２の垂直座標情報を設定された商品情報が重ならないように水平座標情報を算出する水平座標情報算出手段と、垂直座標設定手段が設定した垂直座標情報と、水平座標情報算出手段が算出した水平座標情報と、に従って商品情報を割り付ける割付手段と、から構成されることを特徴とする請求項１に記載の提案書作成システムである。
【０００９】
本願発明の第３の態様は、コンピュータに組込むことによって、コンピュータを請求項１に記載の提案書作成システムとして動作させるコンピュータプログラムである。
【００１０】
本願発明の第４の態様は、請求項３に記載のコンピュータプログラムを記録したコンピュータ読取り可能な記録媒体である。
【発明の効果】
【００１１】
本願発明によれば、マークを商品本体に配置して、商品本体の周りに商品情報（＝部品商品）を配置して、マークと商品情報を線分で結ぶことで、商品本体と部品商品との関係が分かりやすく見やすい提案書を作成することが可能である。
【発明を実施するための最良の形態】
【００１２】
以下、図面等を参照しながら、本発明の実施の形態について、更に詳しく説明する。
【００１３】
図１は、本発明による提案書作成システム１の概要を説明する図である。提案書作成システム１は、提案書編集装置１００と、印刷装置３００とから構成される。
以下に、自動車の提案書を例に説明する。自動車の提案書５００は、車輌本体とオプション部品の関係が見やすくなるように編集されている。自動車の提案書５００には、車輌本体（=メイン画像）とオプション部品情報（以下、商品情報）が掲載され、さらにメイン画像にはオプション部品の位置を示すマークが配置され、商品情報とこれに該当するマークが線分で結線されている。
【００１４】
提案書編集装置１００は、パーソナルコンピュータに後述する専用プログラムを搭載したものである。提案書編集装置１００は、商品提案書５００を編集して画面１０５に表示する。印刷装置３００は、カラープリンタである。印刷装置３００は、案書編集装置１００が編集した商品提案書５００を印刷する。
【００１５】
図２は、営業担当者による提案書作成の運用の流れを説明する図である。
購入予定客に、希望する車種やオプション部品（以下、商品）を選ばせるために、営業担当者は、提案書編集装置を操作する（図２（１））。
営業担当者は、購入予定客が選んだ車種の車体（メイン画像）を提案書編集装置の画面に表示させる（同（２））。
提案書編集装置の商品選択画面を用いて、購入予定客が希望するオプション部品を営業担当者は選択する（同（３））。
営業担当者は選択した商品のリスト画面を表示させて、購入予定客の確認と了承を得る（同（４））。
営業担当者が提案書編集装置に提案書の印刷指示を入力すると、印刷装置は、提案書を印刷する（同（５））。
営業担当者は購入予定客に、客が希望する車種の車体とオプション部品が掲載された提案書を渡す（同（６））。
【００１６】
図１３は完成した提案書の一例である。提案書５００は、車輌本体とオプション部品の関係が見やすくなるように編集されている。提案書５００には、車輌本体（=メイン画像）とオプション部品情報が掲載され、さらにメイン画像にはオプション部品の位置を示すマークが配置され、商品情報とこれに該当するマークが交叉しないような線分で結線されている。
【００１７】
図３は、図２（３）のステップにおいて表示される商品選択画面１０５ａの例である。図３には、商品を選択するための画面１０５ａが例示されている。商品選択画面１０５ａには、メイン画像情報１９３ａと、商品情報１９５の概要一覧が表示されている。オペレータ（=営業担当者や顧客）が、マウス１０３を用いて、所望する商品の写真１９５ｃにカーソル１０３ａを重ねてクリックすると、該当する商品が選択されて、該当商品の商品識別情報が受け付けられる。選択された商品のテキスト情報１９５ｂが、表示枠に表示されている。
【００１８】
図４は、図２（４）のステップにおいて表示される選択商品リスト画面１０５ｂの例である。図４には、選択した商品のリストが表示されている画面１０５ｂが例示されている。選択商品リスト１９３ｂには、選択された商品の名称や品番やリストから削除を指示するためのチェック欄などが表示されている。営業担当者や顧客は、選択リスト１９３ｂを目視で検査して、選択された商品情報１９５に漏れや誤りが無いかを確認する。内容が正しければ、選択リスト１９３ｂのＯＫボタンにカーソル１０３ａを重ねてクリックする。
【００１９】
図５は、提案書編集装置１００の詳細な構成図である。提案書編集装置１００は、ＣＰＵ１０１と、入力部１０３と、表示部１０５と、プリンタ接続部１０７と、メモリ１０９と、専用プログラムを備える。
【００２０】
入力部１０３は、マウスやキーボードである。表示部１０５は、ＬＣＤやＥＬである。プリンタ接続部１０７は、シリアルプリンタコネクタやＵＳＢコネクタである。メモリ１０９は、半導体メモリや磁気メモリである。
【００２１】
メモリ５０９は、マークデータ１９１と、メイン画像情報１９３と、商品情報１９５とを記憶する。マークデータ１９１は、商品識別情報が対応付けられて、割付領域に配置するマーク座標情報を有するマーク画像（以下、マーク）を含むデータである。商品情報１９５は、商品識別情報が対応付けられている、テキスト情報や画像情報を含む情報である。
【００２２】
このほかに、商品受付手段１１０と、商品情報選択手段１２０と、マーク配置手段１３０と、垂直座標設定手段１４０と、商品配置手段１５０と、結線手段１５５と、検査手段１６０とを備える。これらの各手段は、それぞれの専用プログラムとして実現され、専用プログラムがＣＰＵ１０１に解釈・実行されることによって機能する。
【００２３】
商品受付手段１１０は、選択された商品の識別情報を受け付ける。商品情報選択手段１２０は、商品受付手段が受け付けた商品識別情報を用いて商品情報を参照して、受け付けた商品に対応付けられた商品情報を選択する。
【００２４】
マーク配置手段１３０は、商品受付手段が受け付けた商品識別情報を用いてマークデータを参照して、受け付けた商品に対応付けられたマークを選択して、マーク座標情報に従って割付領域に配置する。
【００２５】
垂直座標設定手段１４０は、マークの垂直座標をキーに昇順に配列し、商品情報選択手段が抽出した商品情報の中から配列の前半のマークに対応付けられた商品情報を選択して第１の垂直座標情報を設定し、商品情報選択手段が抽出した商品情報の中から配列の後半のマークに対応付けられた商品情報を選択して第２の垂直座標情報を設定する。
【００２６】
商品配置手段１５０は、第１、または、第２の垂直座標情報を設定された商品情報が重ならないように水平座標情報を算出して、その座標情報に従って商品情報を割り付ける。なお、座標情報に従って商品情報を割り付ける機能は、公知の技術を用いる。（以降、同様である）
【００２７】
結線手段１５５は、商品識別情報が一致するマークと割り付けられた商品情報とを選択して、両者を結線する線分を割り付ける。
【００２８】
検査手段１６０は、線分同士が交差するか否かを検査する。
【００２９】
商品情報入替手段１７０は、検査の結果、交差する線分が存在すれば、交差する線分に対応する商品情報の座標情報を入れ替えて、入れ替えた座標情報に従って商品情報を割り付ける。
【００３０】
図６は、マークデータ１９１の説明図である。
【００３１】
図６の（ａ）は、マークデータ１９１の形式を説明する図である。マークデータ１９１は、商品識別情報１９１ａと、マーク画像１９１ｂと、座標情報１９１ｃとから構成される。商品識別情報１９１ａは、商品ＩＤである。マーク画像１９１ｂは、ビットマップデータである。あるいは、マーク画像１９１ｂは、マーク画像特定情報（マーク画像ファイル名や画像ファイル格納場所情報）であってもよい。座標情報１９１ｃは、マーク画像１９１ｂを割付領域に割り付ける座標値である。
【００３２】
図６の（ｂ）は、マークデータ１９１の例である。図６の（ｂ）には、マークデータ１９１が例示されている。たとえば、マークデータ１９１の例として、商品識別情報１９１ａ「EG0136」と、マーク画像１９１ｂ「丸付き数字１」と、座標情報１９１ｃ「（120,400）」が記述されている。あるいは、マークデータ１９１の例として、商品識別情報１９１ａ「FS7857」と、マーク画像１９１ｂ「丸付き数字２」と、座標情報１９１ｃ「（230,670）」が記述されている。
【００３３】
図７は、メイン画像上のマークの説明図である。図７には、選択された部品に対応するマークがメイン画像上に配置された割付が例示されている。割付領域１０５ｃには、メイン画像１９３と、選択された部品に対応するマーク１９１ｂが配置されている。マーク１９１ｂは、対応する商品の車体上の位置に配置されている。なお、番号付マーク１９１ｂが例示されているが、番号無しマークでもよい。
【００３４】
図８は、商品情報１９５の説明図である。商品情報１９５は、テキスト情報１９５ｂや画像情報１９５ｃを含んで構成され、商品識別情報１９５ａが対応付けられている。商品識別情報１９５ａは、図６の商品識別情報１９１ａと同じである。テキスト情報は、商品情報の文字列である。テキスト情報は、編集済みのテキスト（たとえば、子組みや箱組されたテキスト）でもよい。画像情報は、ビットマップデータである。
【００３５】
図９は、メイン画像上のマークを上下に二分割してグループ分けする説明図である。
図９には、メイン画像上のマークが上下に二分割された２つのグループが例示されている。
マークは、各マークの垂直座標を手がかりにして、上方に位置する４個のマークから構成される上方グループと、下方に位置する４個のマークから構成される下方グループに分割されている。
【００３６】
図１０は、商品情報を割り付ける説明図である。
上方グループと下方グループが割り付ける領域を定めておき、各グループの商品情報１９５を左右に等間隔に割り付ける。このとき、商品情報がN個の場合に、i番目の商品情報の左下角の座標(Xi, Yi)は、割付領域の幅をRw、高さをRh、商品情報の幅をIw、高さをIh、商品情報同士の間隔をSpとすると、それぞれ、「Xi ＝Rw／２−N×Iw／２+（N−１）Sp／２+（Iw+ Sp）（i−１）」、「Yi＝（Rh −Ih）／２」と計算できる。
【００３７】
なお、間隔Sp は、個数が多いときには間隔が狭くなるように、商品情報の個数によって変更してもよい。
また、商品情報の個数が増えて、割付領域内に収まらない場合は、商品情報を縮小して表示するようにしてもよい。ただし、縮小率の限界はあらかじめ定めておき、限界に達しても収まらない場合には、ページを増やして表示する。このとき、それぞれのページに表示する商品情報の数が等しくなるように配分するようにしてもよい。
【００３８】
図１１は、線分の交差を解消する手順を説明する図である。
図１１には、対応するマーク１９１ｂと商品情報１９５を結線する線分が交差する割付１０５ｓと、線分の交差が解消された割付１０５ｆが例示されている。
【００３９】
まず、割付１０５ｓにおいて、線分が交差しているか否かを検査すると、たとえば、割り付けられた商品情報「１」とマーク１９１「１」の線分と、割り付けられた商品情報「２」とマーク１９１「２」の線分が交差していることが判明する（図１１（１））。
そこで、割付１０５ｆに示すように、割り付けられた商品情報「１」と商品情報「２」の割付位置を入れ替える(同（２）)。
次に、割付位置を入れ替えた商品情報「１」と「２」を、それぞれに対応するマーク１９１「１」と「２」と線分を結線し直す(同（３）)。線分を結線し直すことによって、前回の検査では交差しなかった線分と交差するかもしないので、全ての線分に対して、交差しているか否かを改めて検査する。
【００４０】
同様に、割付１０５ｓにおいて、割り付けられた商品情報「６１」とマーク１９１「６」の線分と、割り付けられた商品情報「７」とマーク１９１「７」の線分が交差している(同（４）)。
そこで、割付１０５ｆに示すように、割り付けられた商品情報「６」と商品情報「７」の割付位置を入れ替える(同（５）)。
次に、割付位置を入れ替えた商品情報「６」と「７」を、それぞれに対応するマーク１９１「６」と「７」に線分を結線しなおして、全ての線分に対して、改めて検査をする(同（６）)。
【００４１】
図１２は、商品情報の配置処理のフローチャートである。
（１）商品受付手段１１０は、少なくとも１つの商品識別情報を受け付ける。（ステップＳ１００）なお、商品受付手段１１０は、受け付けた商品識別情報を含む選択商品リスト表示画面を作成して、表示してもよい。
【００４２】
（２）マーク配置手段１３０は、商品受付手段１１０が受け付けた商品識別情報を用いてマークデータを参照して、受け付けた商品に対応付けられたマークを選択して、そのマークをマーク座標情報に従って割付領域に配置する。垂直座標設定手段１４０は、マーク配置手段１３０が割り付けたマークの垂直座標を手がかりにして、メイン画像上のマーク１９１ｂを上下に二分割して、上方グループと下方グループにグループ分けする（ステップＳ１１０）
【００４３】
（３）商品情報選択手段１２０は、商品受付手段１１０が受け付けた商品識別情報を用いて商品情報を参照して、受け付けた商品に対応付けられた商品情報を選択する。商品配置手段１５０は、上方グループの垂直座標情報を設定された商品情報が重ならないように水平座標情報を算出して、その座標情報に従って商品情報を割り付ける。
同様に、商品配置手段１５０は、下方グループの垂直座標情報を設定された商品情報が重ならないように水平座標情報を算出して、その座標情報に従って商品情報を割り付ける。（ステップＳ１２０）
（４）結線手段１５５は、商品識別情報が一致するマークと割り付けられた商品情報とを選択して線分で結ぶ。（ステップＳ１３０）
【００４４】
（５）検査手段１６０は、上下に分けた各グループの中で、対フラグが未選択の１対の線分を選ぶ。（ステップＳ１４０）
（６）検査手段１６０は、選んだ２本の線分が交差するか否かを検査する。交差しない場合は、ステップＳ１６０に進む。交差する場合は、ステップＳ１７０に進む。（ステップＳ１５０）
【００４５】
（７）検査手段１６０は、該当する対フラグに選択済みをセットする。ステップＳ１８０に進む。（ステップＳ１６０）
（８）商品情報入替手段１７０は、線分が交差する２つの商品情報を選択してそれぞれの位置情報を入れ替えて割り付ける。結線手段１５５は、入れ替えて割り付けられた商品情報１９５と対応するマーク１９１ｂとに線分を引く。（ステップＳ１７０）
（９）商品情報入替手段１７０は、全ての対フラグに未選択をセットする。（ステップＳ１７５）
【００４６】
（１０）全ての対フラグが選択済みか否かを判定する。未選択の対フラグがあれば、ステップＳ１４０に戻る。全ての対フラグが選択済みであれば、終了する（ステップＳ１８０）
【図面の簡単な説明】
【００４７】
【図１】本発明による提案書作成システム１の概要を説明する図
【図２】営業担当者による提案書作成の運用の流れを説明する図
【図３】商品選択画面１０５ａの例
【図４】選択商品リスト画面１０５ｂの例
【図５】提案書編集装置１００の詳細な構成図
【図６】マークデータ１９１の説明図
【図７】選択された部品に対応するメイン画像上のマークの説明図
【図８】商品情報１９５の説明図
【図９】メイン画像上のマークを上下に二分割してグループ分けする説明図
【図１０】商品情報を割り付ける説明図
【図１１】線分の交差を解消する手順を説明する図
【図１２】商品情報の配置処理のフローチャート
【図１３】完成した提案書の一例
【符号の説明】
【００４８】
１００  提案書編集装置
１０５ａ  商品選択画面
１０５ｂ  選択商品リスト画面
１１０  商品受付手段
１２０  商品情報選択手段
１３０  マーク配置手段
１４０  垂直座標設定手段
１５０  商品配置手段
１５５  結線手段
１６０  検査手段
１９１  マークデータ
１９１ａ  商品識別情報
１９１ｂ  マーク画像、マーク
１９１ｃ  座標情報
１９３ｂ  選択リスト
１９５  商品情報
１９５ａ  商品識別情報
１９５ｂ  テキスト情報
１９５ｃ  画像情報
１９３ａ  メイン画像情報
５００  提案書
【図１】
2009075990.tif 000003
【図２】
2009075990.tif 000004
【図３】
2009075990.tif 000005
【図４】
2009075990.tif 000006
【図５】
2009075990.tif 000007
【図６】
2009075990.tif 000008
【図７】
2009075990.tif 000009
【図８】
2009075990.tif 000010
【図９】
2009075990.tif 000011
【図１０】
2009075990.tif 000012
【図１１】
2009075990.tif 000013
【図１２】
2009075990.tif 000014
【図１３】
2009075990.tif 000015